【手続補正書】
【提出日】平成20年5月23日(2008.5.23)
【手続補正１】
【補正対象書類名】明細書
【補正対象項目名】特許請求の範囲
【補正方法】変更
【補正の内容】
【特許請求の範囲】
【請求項１】 
外部記憶装置からのＣＡＤ情報を受けて疑似回路図が表示可能な回路図データを生成する表示装置において、
入力情報として回路ネットリストＣＡＤデータを受けて、該回路ネットリストＣＡＤデータ内にピン入出力属性情報を有しているか有していないかに関わらず、該回路ネットリストＣＡＤデータに基づいて疑似回路図が表示可能な回路図データを生成する、ことを特徴とする表示装置。
【請求項２】
外部記憶装置からのＣＡＤ情報を受けて疑似回路図が表示可能な回路図データを生成する表示装置において、
入力情報として回路ネットリストＣＡＤデータのみを受けて、第１に、該回路ネットリストＣＡＤデータ内にピン入出力属性情報を有している入出力端子の場合には、当該ピン入出力属性情報に基づいて生成する疑似回路図の入力端子と出力端子とを識別可能な形態で疑似回路図を表示する回路図データを生成し、第２に、該回路ネットリストＣＡＤデータ内にピン入出力属性情報を有していない入出力端子の場合には、入力端子若しくは出力端子としての識別無しの表示形態で疑似回路図を表示する回路図データを生成する、ことを特徴とする表示装置。
【請求項３】
回路ネットリストＣＡＤデータ内にピン入出力属性情報を有していない入出力端子の場合において、入力端子若しくは出力端子としての識別無しの表示形態で疑似回路図を表示する状態において、当該入出力端子に対して入出力属性を付与すべき付与情報を入力手段を介して受けたときは、当該付与情報に基づき入力端子若しくは出力端子として疑似回路図を表示する回路図データを生成する、ことを特徴とする請求項２記載の表示装置。
【請求項４】
入力手段は、作業者が入出力属性を付与したい入出力端子に対して手動で入出力属性を付与する、あるいは記憶媒体に保存しておいた入出力属性の付与情報に基づいて入出力属性を付与する、ことを特徴とする請求項３記載の表示装置。
【請求項５】
指定のセル名（トップセルあるいはインスタンスセル名）を指定する指定情報を入力手段から受けたときは、回路ネットリストＣＡＤデータの中から当該セル名に係るＣＡＤデータを処理対象とし、第１に、当該セル名の疑似回路図を表示する回路図データを生成し、若しくは第２に、当該セル名の疑似回路図と、当該セル名の入出力端子に接続されるネット名とを表示する回路図データを生成し、若しくは第３に、当該セル名の疑似回路図と、当該セル名の入出力端子に接続されるネット名と、前記ネット名に接続されているセル名とを表示する回路図データを生成する、ことを特徴とする請求項１又は２記載の表示装置。
【請求項６】
指定のネット名を指示する指定情報を入力手段から受けたときは、回路ネットリストＣＡＤデータの中から当該ネット名に係るＣＡＤデータを処理対象とし、第１に、当該ネット名に接続されている疑似回路図を表示する回路図データを生成し、若しくは第２に、当該ネット名に接続されている疑似回路図と、当該ネット名に接続されているセル名とを表示する回路図データを生成する、ことを特徴とする請求項１又は２記載の表示装置。
【請求項７】
入力手段は、作業者がセル名若しくはネット名を指定したい対象に対して手動で指示する、あるいは記憶媒体に保存しておいたセル名若しくはネット名の指示情報に基づいて指示する、ことを特徴とする請求項５又は６記載の表示装置。
【請求項８】
該回路ネットリストＣＡＤデータは、ＳＰＩＣＥフォーマットあるいはＣＤＬフォーマットのＣＡＤデータである、ことを特徴とする請求項１又は２記載の表示装置。
【請求項９】
該回路ネットリストＣＡＤデータはＴＥＧＡＳフォーマットのＣＡＤデータである、ことを特徴とする請求項１又は２記載の表示装置。
【請求項１０】
外部記憶装置からＣＡＤデータを受けて回路図を表示可能とする回路表示データを生成する表示装置であって、
ピン入出力属性情報を含むフォーマットの第１の回路ネットリストＣＡＤデータおよびピン入出力属性情報を含まないフォーマットの第２の回路ネットリストＣＡＤデータを受けて、ピン入出力属性情報を有している入出力端子については当該ピン入出力属性情報に基づいて入力端子および出力端子を識別可能な端子表示とし、ピン入出力属性情報を有しない入出力端子については入出力属性無しの端子表示とした回路図を表示するための回路表示データを生成する回路表示データ生成手段
を備える表示装置。
【請求項１１】
前記第１の回路ネットリストＣＡＤデータは、ピン入出力属性情報を含むゲートレベルのＣＡＤデータであり、
前記第２の回路ネットリストＣＡＤデータは、ピン入出力属性情報を含まないトランジスタレベルのＣＡＤデータであり、
前記回路表示データ生成手段は、ゲートレベルの前記第１の回路ネットリストＣＡＤデータに記述された入出力端子については、ピン入出力属性情報に基づいて入力端子および出力端子を識別可能な端子表示とし、トランジスタレベルの前記第２の回路ネットリストＣＡＤデータに記述された入出力端子については、入出力属性無しの端子表示とした回路図を表示するための回路表示データを生成する
請求項１０に記載の表示装置。
【手続補正２】
【補正対象書類名】明細書
【補正対象項目名】０００６
【補正方法】変更
【補正の内容】
【０００６】
【課題を解決するための手段】
第１の解決手段を示す。ここで第２図は、本発明に係る解決手段を示している。上記課題を解決するために、外部記憶装置からのＣＡＤ情報を受けて疑似回路図が表示可能な回路図データを生成する表示装置において、入力情報として回路ネットリストＣＡＤデータのみを受けて、前記回路ネットリストＣＡＤデータ内にピン入出力属性情報を有しているか有していないかに関わらず、前記回路ネットリストＣＡＤデータに基づいて疑似回路図が表示可能な回路図データを生成する、ことを特徴とする表示装置である。上記発明によれば、第１に、ピン入出力属性情報のデータ入力が不要で回路図データを生成可能とする表示装置が実現できる。
【手続補正３】
【補正対象書類名】明細書
【補正対象項目名】０００７
【補正方法】変更
【補正の内容】
【０００７】
次に、第２の解決手段を示す。ここで第３図と第４図は、本発明に係る解決手段を示している。上記課題を解決するために、外部記憶装置からのＣＡＤ情報を受けて疑似回路図が表示可能な回路図データを生成する表示装置において、入力情報として回路ネットリストＣＡＤデータのみを受けて、第１に、前記回路ネットリストＣＡＤデータ内にピン入出力属性情報を有している入出力端子の場合には、当該ピン入出力属性情報に基づいて生成する疑似回路図の入力端子と出力端子とを識別可能な形態で疑似回路図を表示する回路図データを生成し、第２に、前記回路ネットリストＣＡＤデータ内にピン入出力属性情報を有していない入出力端子の場合には、入力端子若しくは出力端子としての識別無しの表示形態で疑似回路図を表示する回路図データを生成する、ことを特徴とする表示装置がある。
【手続補正４】
【補正対象書類名】明細書
【補正対象項目名】０００８
【補正方法】変更
【補正の内容】
【０００８】
次に、第３の解決手段を示す。ここで第５図は、本発明に係る解決手段を示している。上述回路ネットリストＣＡＤデータ内にピン入出力属性情報を有していない入出力端子の場合において、入力端子若しくは出力端子としての識別無しの表示形態で疑似回路図を表示する状態において、当該入出力端子に対して入出力属性を付与すべき付与情報を入力手段１２を介して受けたときは、当該付与情報に基づき入力端子若しくは出力端子として疑似回路図を表示する回路図データを生成する、ことを特徴とする上述表示装置がある。
【手続補正５】
【補正対象書類名】明細書
【補正対象項目名】０００９
【補正方法】変更
【補正の内容】
【０００９】
次に、第４の解決手段を示す。上述入力手段１２の一態様としては、作業者が入出力属性を付与したい入出力端子に対して手動で入出力属性を付与する、あるいは記憶媒体に保存しておいた入出力属性の付与情報に基づいて入出力属性を付与する、ことを特徴とする上述表示装置がある。
【手続補正６】
【補正対象書類名】明細書
【補正対象項目名】００１０
【補正方法】変更
【補正の内容】
【００１０】
次に、第５の解決手段を示す。上述指定のセル名（トップセルTOPあるいはX6、X82等のインスタンスセル名）を指定する指定情報を入力手段１２から受けたときの一態様は、回路ネットリストＣＡＤデータの中から当該セル名に係るＣＡＤデータを処理対象とし、第１に、当該セル名の疑似回路図を表示する回路図データを生成し、若しくは第２に、当該セル名の疑似回路図と、当該セル名の入出力端子に接続されるネット名とを表示する回路図データを生成し、若しくは第３に、当該セル名の疑似回路図と、当該セル名の入出力端子に接続されるネット名と、前記ネット名に接続されているセル名とを表示する回路図データを生成する、ことを特徴とする上述表示装置がある。これにより、膨大な回路ネットリストＣＡＤデータのデータ処理量が大幅に低減される結果、処理時間が大幅に低減できる利点が得られる。
【手続補正７】
【補正対象書類名】明細書
【補正対象項目名】００１１
【補正方法】変更
【補正の内容】
【００１１】
次に、第６の解決手段を示す。上述指定のネット名（例えばG、N.1612、N.1611等）を指示する指定情報を入力手段１２から受けたときの一態様は、回路ネットリストＣＡＤデータの中から当該ネット名に係るＣＡＤデータを処理対象とし、第１に、当該ネット名に接続されている疑似回路図を表示する回路図データを生成し、若しくは第２に、当該ネット名に接続されている疑似回路図と、当該ネット名に接続されているセル名とを表示する回路図データを生成する、ことを特徴とする上述表示装置がある。
【手続補正８】
【補正対象書類名】明細書
【補正対象項目名】００１２
【補正方法】変更
【補正の内容】
【００１２】
次に、第７の解決手段を示す。上述入力手段１２の一態様としては、作業者がセル名若しくはネット名を指定したい対象に対して手動で直接的に指示する、あるいは再利用可能に記憶媒体に保存しておいたセル名若しくはネット名の指示情報に基づいて指示する、ことを特徴とする上述表示装置がある。
【手続補正９】
【補正対象書類名】明細書
【補正対象項目名】００１３
【補正方法】変更
【補正の内容】
【００１３】
次に、第８の解決手段を示す。上述回路ネットリストＣＡＤデータの一態様としては、ＳＰＩＣＥフォーマットあるいはＣＤＬフォーマットのＣＡＤデータである、ことを特徴とする上述表示装置がある。
【手続補正１０】
【補正対象書類名】明細書
【補正対象項目名】００１４
【補正方法】変更
【補正の内容】
【００１４】
次に、第９の解決手段を示す。上述回路ネットリストＣＡＤデータはＴＥＧＡＳフォーマットのＣＡＤデータである、ことを特徴とする上述表示装置がある。
次に、第１０の解決手段として、外部記憶装置からＣＡＤデータを受けて回路図を表示可能とする回路表示データを生成する表示装置であって、ピン入出力属性情報を含むフォーマットの第１の回路ネットリストＣＡＤデータおよびピン入出力属性情報を含まないフォーマットの第２の回路ネットリストＣＡＤデータを受けて、ピン入出力属性情報を有している入出力端子については当該ピン入出力属性情報に基づいて入力端子および出力端子を識別可能な端子表示とし、ピン入出力属性情報を有しない入出力端子については入出力属性無しの端子表示とした回路図を表示するための回路表示データを生成する回路表示データ生成手段を備える表示装置を提供する。第１の回路ネットリストＣＡＤデータは、ピン入出力属性情報を含むゲートレベルのＣＡＤデータであり、第２の回路ネットリストＣＡＤデータは、ピン入出力属性情報を含まないトランジスタレベルのＣＡＤデータであり、回路表示データ生成手段は、ゲートレベルの第１の回路ネットリストＣＡＤデータに記述された入出力端子については、ピン入出力属性情報に基づいて入力端子および出力端子を識別可能な端子表示とし、トランジスタレベルの第２の回路ネットリストＣＡＤデータに記述された入出力端子については、入出力属性無しの端子表示とした回路図を表示するための回路表示データを生成してもよい。